(57)【特許請求の範囲】
【請求項１】
ドーム形状に形成され、外表面に親水コートが施された先端カバーと、
前記先端カバー内に設けられ、導入された被検体内部を撮像して、前記被検体内部の画像情報を取得する撮像手段と、
前記ドーム形状の先端カバー内で、かつ前記撮像手段の周辺に設けられる照射部と、を有し、
前記撮影手段の視野角度は９０°以上であり、前記親水コートは光触媒性コーティングであり、
前記照射部は白色ＬＥＤと、前記光触媒性コーティングを励起状態とする紫外発光ＬＥＤとからなり、
前記白色ＬＥＤを発光するタイミングと前記紫外発光ＬＥＤを発光するタイミングとが異なり、
前記撮像手段は前記白色ＬＥＤが発光するタイミングで撮影を行い、前記紫外発光ＬＥＤが発光するタイミングでは撮影を行わないことを特徴とするカプセル型内視鏡。
【請求項２】
前記親水コートは前記先端カバー外表面に形成された凹凸の上に施されることを特徴とする請求項１に記載のカプセル型内視鏡。
【請求項３】
前記親水コートに用いる材料の硬度が前記先端カバーに用いる材料の硬度より大きいことを特徴とする請求項１又は請求項２に記載のカプセル型内視鏡。
【請求項４】
前記先端カバー外表面に、前記親水コートに用いる材料の屈折率とは異なる屈折率を有する材料の塗膜が一層以上施された後に、前記親水コートが施されることを特徴とする請求項１乃至請求項３のいずれか１項に記載のカプセル型内視鏡。
【発明の詳細な説明】
【技術分野】
【０００１】
本発明は、被検体内に導入されて被検体内の情報を収集するための所定機能を実行する各種の機能実行手段を備え、これら機能実行手段を配置させた基板を収容してなる、たとえば飲み込み型などのカプセル型内視鏡に関する。
【背景技術】
【０００２】
近年、内視鏡の分野では、撮像機能と無線機能とが装備されたカプセル型内視鏡が登場している。このカプセル型内視鏡は、観察（検査）のために被検体である被検者に飲み込まれた後、被検者の生体から自然排出されるまでの観察期間、胃、小腸などの臓器の内部（体腔内）をその蠕動運動に伴って移動し、撮像機能を用いて順次撮像する構成である。また、これら臓器内の移動によるこの観察期間、カプセル型内視鏡によって体腔内で撮像された画像データは、順次Ｂｌｕｅｔｏｏｔｈなどの無線機能により、被検体の外部に設けられた外部装置に送信され、外部装置内に設けられたメモリに蓄積される。被検者がこの無線機能とメモリ機能を備えた外部装置を携帯することにより、被検者は、カプセル型内視鏡を飲み込んだ後、排出されるまでの観察期間、不自由を被ることなく行動が可能になる。観察後は、医者もしくは看護士によって、外部装置のメモリに蓄積された画像データに基づいて、体腔内の画像をディスプレイなどの表示手段に表示させて診断を行うことができる。
【０００３】
この種のカプセル型内視鏡では、上記機能を実行するために、たとえば特許文献１（特開２００７−１４６３４号公報）に示すような飲み込み型のものがある。このカプセル型内視鏡は、照明体（ 発光ダイオード、以下「ＬＥＤ」という）、イメージセンサ、これらの駆動回路、電池などを含む電源部およびイメージセンサからの画像データを外部装置に送信するための送信部などを、たとえばＩＣ構成でそれぞれ配置用基板に配置し、これら基板をストリップ基板で接続するとともに、これらの部位を両端部がドーム形状に形成され、かつ密閉したカプセル形状の容器内に収容したものが提案されている。
【０００４】
ところで、特許文献１記載のカプセル型医療装置用留置装置における保持部の一部には、光触媒等の親水コーティングなどの汚れ防止コーティングを施し、観察への影響を極力少なくすることなども記載されている。このような光触媒による親水コーティングについては種々の分野に応用されており、例えば、特許文献２（特開２００３−２０７６０１号公報）には、光ディスク装置の光ピックアップ等に用いる対物レンズのレンズ表面に波長が４２０ｎｍ以下の光によって励起し親水性を示す光触媒材料をコーティングしておき、光触媒材料を波長が４２０ｎｍ以下の光によって励起させ、水との接触角がほぼ０°となるほどの親水性を持たせることによって、水分が表面に付着しても細かい水滴とならずに薄い水の膜となるようにし、環境の変動があっても曇りが発生しにくい対物レンズを提供するようにしている。
【０００５】
また、特許文献３（特開２００５−３１２８０９号公報）には、体腔等に挿入してその内部を観察し、処置等を行うための硬性鏡、軟性鏡に代表される内視鏡、特に医療用内視鏡に関するものであるが、その挿入部の光学部材先端に配置された透光性部材外表面上に光触媒を含む薄膜を形成する技術が記載されている。
【特許文献１】特開２００７−１４６３４号公報
【特許文献２】特開２００３−２０７６０１号公報
【特許文献３】特開２００５−３１２８０９号公報
【発明の開示】
【発明が解決しようとする課題】
【０００６】
上記のようなカプセル型内視鏡において、体内観察を行う際には、体内に残る残渣や粘液等の不純物が、透明なドーム状の先端カバー外表面に付着して観察に支障をきたす。そのために、先端カバー外表面の残渣・粘液の付着を低減することは、観察性の低下を防止しスクリーニング性の向上のために重要であると考えられる。しかしながら、特許文献１に記載のものにおいては、保持部材の一部に汚れ防止コーティングを施してはいるものの、先端カバー外表面への付着物については考慮されておらず、問題となっていた。
【０００７】
また、光触媒材料によるコーティングに係る技術は従来種々開示されているものの、カプセル型内視鏡にこれを如何に有効に適用するかについてはこれまで提案がなされていなかった。
【課題を解決するための手段】
【０００８】
上記のような課題を解決するために、請求項１に係る発明は、ドーム形状に形成され、外表面に親水コートが施された先端カバーと、前記先端カバー内に設けられ、導入された被検体内部を撮像して、前記被検体内部の画像情報を取得する撮像手段と、前記ドーム形状の先端カバー内で、かつ前記撮像手段の周辺に設けられる照射部と、を有し、前記撮影手段の視野角度は９０°以上であり、前記親水コートは光触媒性コーティングであり、前記照射部は白色ＬＥＤと、前記光触媒性コーティングを励起状態とする紫外発光ＬＥＤとからなり、前記白色ＬＥＤを発光するタイミングと前記紫外発光ＬＥＤを発光するタイミングとが異なり、前記撮像手段は前記白色ＬＥＤが発光するタイミングで撮影を行い、前記紫外発光ＬＥＤが発光するタイミングでは撮影を行わないことを特徴とするカプセル型内視鏡である。
【０００９】
また、請求項２に係る発明は、請求項１に記載のカプセル型内視鏡において、前記親水コートは前記先端カバー外表面に形成された凹凸の上に施されることを特徴とする。
【００１０】
また、請求項３に係る発明は、請求項１又は請求項２に記載のカプセル型内視鏡において、前記親水コートに用いる材料の硬度が前記先端カバーに用いる材料の硬度より大きいことを特徴とする。
【００１１】
また、請求項４に係る発明は、請求項１乃至請求項３のいずれか１項に記載のカプセル型内視鏡において、前記先端カバー外表面に、前記親水コートに用いる材料の屈折率とは異なる屈折率を有する材料の塗膜が一層以上施された後に、前記親水コートが施されることを特徴とする。
【発明の効果】
【００１７】
本発明に係るカプセル型内視鏡によれば、親水コートによって先端カバー外表面への残渣や粘液などの付着物を低減させることで、撮影手段により良好な体腔内画像を撮影することができ、観察性の低下を防止することができる。
【発明を実施するための最良の形態】
【００１８】
以下に、本発明の実施の形態に係るカプセル型内視鏡を図面に基づいて詳細に説明する。なお、本発明は、これらの実施の形態に限定されるものではなく、本発明の要旨を逸脱しない範囲で種々の変更実施の形態が可能である。
【００１９】
図１は、本発明にかかるカプセル型内視鏡を含む無線型被検体内情報取得システムの全体構成を示す模式図である。なお、この無線型被検体内情報取得システムでは、被検体である人間の口などから体腔内に導入して、体腔内の被検部位を撮影するカプセル型内視鏡３を一例として説明する。図１において、無線型被検体内情報取得システムは、無線受信機能を有する受信装置２と、被検体１内に導入され、体腔内画像を撮像して受信装置２に対して画像信号などのデータ送信を行うカプセル型内視鏡３とを備える。また、無線型被検体内情報取得システムは、受信装置２が受信した画像信号に基づいて体腔内画像を表示する表示装置４と、受信装置２と表示装置４との間でデータの受け渡しを行うための携帯型記録媒体５とを備える。
【００２０】
受信装置２は、被検体１によって着用される受信ジャケット２ａと、受信される無線信号の処理などを行う外部装置２ｂとを備え、いずれも被検体１、たとえば図示しないベルトなどによって被検体１の腰部に固定されて携帯される。すなわち、受信装置２は、カプセル型内視鏡３から無線送信された体腔内の画像データを受信する機能を有しており、受信ジャケット２ａは、受信用アンテナＡ１〜Ａｎを備えるとともに、被検体１によって着用可能な形状に構成され、外部装置２ｂは、受信ジャケット２ａの受信用アンテナＡ１〜Ａｎを介して受信された無線信号の処理などを行う。
【００２１】
表示装置４は、カプセル型内視鏡３によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００２２】
携帯型記録媒体５は、外部装置２ｂおよび表示装置４に対して着脱可能であって、両者に対して挿着された時に情報の出力または記録が可能な構造を有する。この実施の形態では、携帯型記録媒体５は、カプセル型内視鏡３が被検体１の体腔内を移動している間は、外部装置２ｂに挿着されてカプセル型内視鏡３から送信されるデータを記録する。そして、カプセル型内視鏡３が被検体１から排出された後、つまり、被検体１の内部の撮像が終了した後には、外部装置２ｂから取り出されて表示装置４に挿着され、この表示装置４によって、携帯型記録媒体５に記録されたデータが読み出される構成を有する。たとえば、外部装置２ｂと表示装置４とのデータの受け渡しを、コンパクトフラッシュ（登録商標）メモリなどから構成される携帯型記録媒体５によって行うことで、外部装置２ｂと表示装置４との間が有線で直接接続された場合よりも、被検体１が体腔内の撮影中に自由に動作することが可能となる。なお、ここでは、外部装置２ｂと表示装置４との間のデータの受け渡しに携帯型記録媒体５を使用したが、必ずしもこれに限らず、たとえば外部装置２ｂに内蔵型の他の記録装置、たとえばハードディスクを用い、表示装置４との間のデータの受け渡しのために、双方を有線または無線接続するように構成してもよい。
【００２３】
図２は、本発明にかかるカプセル型内視鏡３の構成を示す側断面図であり、図３は、図２に示したリジットフレキ配線基板を展開した上面図であり、図４は、図２に示した照明基板を前面（図中、先端カバー側）から見た断面図であり、図５は、図２に示した送信基板を後面（図中、後端部側）から見た断面図である。図６は、図１に示した送信基板を後面から見た断面図である。また、図７は、図２に示したカプセル型内視鏡の先端カバー周辺の側断面図である。
【００２４】
カプセル型内視鏡３は、図２に示すように、カプセル形状に形成された外装ケースである密閉容器６と、予め設定された所定の機能を実行するための機能実行手段として、体腔内を被検部位を照明するための照明光を出射する照明手段７と、機能実行手段として、照明光による反射光を受光して被検部位を撮像する撮像手段８と、照明手段７と撮像手段８の駆動制御および信号処理を行う制御手段９と、機能実行手段を駆動するための駆動電力を蓄積する蓄電手段１０と、機能実行手段として、撮像手段８よって取得された画像データを被検体外部に無線送信する無線送信手段２０を備える。
【００２５】
密閉容器６は、人が飲み込める程度の大きさのものであり、略半球状の先端カバー６１と、筒形状の胴部カバー６２とを弾性的に嵌合させて形成されている。配置用基板としての照明基板７１、撮像基板８１、スイッチ基板１１、電源基板１２および送信基板２１は、後端部に略半円球形状の底部を有して先端部が円形状に開口した筒状の胴部カバー６２内に挿入されている。先端カバー６１は、略半球状のドーム形状であって、ドームの後側が円形状に開口している。この先端カバー６１は、透明性あるいは透光性を有する透明部材、たとえば光学的性能や強度を確保するのに好ましいシクロオレフィンポリマー（商標名：ゼオネックスなど）あるいはポリカーボネートで成形され、照明手段７からの照明光を密閉容器６の外部に透過することを可能にするとともに、この照明光による被検体からの反射光を内部に透過することを可能にする。
【００２６】
また、この先端カバー６１の外面には、図７に示すように親水性の親水コートなどが施される構成となっている。このために、本発明のカプセル型内視鏡では、先端カバー６１への残渣や粘液の付着を低減して、観察性の低下を防止することができる、という効果を得ることができる。
【００２７】
先端カバー６１の外表面に設けられる親水コートは、カプセル型内視鏡３での観察性を妨げる比較的大きな残渣や粘液を、水とともに洗い流すような効果を期待することができる。
【００２８】
なお、本発明では、先端カバー６１の外表面に親水性を付与することができれば手段の如何を問わないものとする。例えば、先端カバー６１の外面に、親水性のコーティングを施す代わりに、プラズマ処理や電子照射を施すことによって、先端カバー６１の外表面に親水性を付与させることも可能である。プラズマ処理や電子照射を用いた先端カバー６１の外表面の処理によれば、材料の組成を変えることができたり、表面に微細な数ｎｍオーダーの凹凸をつけたりすることが可能となり、この結果、先端カバー６１外表面の親水性を向上させることができる。
【００２９】
なお、以下の実施の形態では、親水性のコーティングとして、光触媒の親水コートを用いた場合について説明する。図７には、このような光触媒の親水コート（光触媒性コーティング９６）が模式的に示されている。
【００３０】
ところで、光触媒の親水コートを用いた場合、効果の持続性が低く体液中において、長時間にその効果を維持することが困難である。そこで、先端カバー６１外表面のコーティングに光触媒の親水コートを用いた場合、カプセル型内視鏡の発光素子の一部に短波長の紫外光を発光する発光素子（ＧａＮ等のＬＥＤ）を用いることで、コーティングを励起状態にすることが可能となるので、本実施形態ではこのようなＬＥＤを採用した例につき説明している。このようなＬＥＤの励起により、使用環境に関わらず、長時間、親水コートの機能を維持させることが可能となり、体内における長時間の観察においても、残渣や粘液の付着を低減して、観察性の低下を防止することができる。
【００３１】
上記のような光触媒では、バンドギャップに相当するエネルギーの光を吸収し、価電子帯内の正孔と伝導帯内の電子のペアが生じ、両者が再結合することなく移動し、基質、吸着種などと相互作用することによって光触媒反応を推進する。
【００３２】
本発明における光触媒性コーティング９６に使用する光触媒としては、酸化チタン（ＴｉＯ2）が最も好ましい。酸化チタンは、人体に無害で化学的に安定している物質である。また、安価に入手できる物質でもある。さらに、酸化チタンは可視光を吸収しない物質であるため、先端カバー６１外表面にコーティングを施しても、撮影画質の色つきなどの画質低下を起こすことがない。
【００３３】
しかし、本発明における光触媒性コーティング９６としては、酸化チタン（ＴｉＯ2）以外のものも利用し得る。本発明においては、光触媒性コーティング９６としては、酸化チタン、酸化亜鉛、酸化ニオブ、酸化タングステン、及び酸化ジルコニウムからなる群から選択される少なくとも１ 種からなる構成することができる。
【００３４】
光触媒性コーティング９６のコーティング膜厚としては、先端カバー６１のような透明部材からなる場合には、光の干渉による発色を防止するために、光触媒性のコーティングの膜圧は０．２μｍ以下にすることが望ましい。
【００３５】
なお、本発明において光触媒性コーティング９６として用いる酸化チタン、酸化亜鉛、酸化ニオブ、酸化タングステン、及び酸化ジルコニウムの硬度は、先端カバー６１に用いるシクロオレフィンポリマー（商標名：ゼオネックスなど）あるいはポリカーボネートの硬度より高く、光触媒性コーティング９６が先端カバー６１を傷などから保護する役目を担うことができる。このように光触媒性コーティング９６によって先端カバー６１に傷がつきにくい状態となっているので、カプセル型内視鏡３を工場ラインなどで製造するときにおいては、先端カバー６１の取り扱いがし易くなるので組み立て性が向上したり、或いは製品歩留まりが向上したり、といった効果が期待できる。
【００３６】
また、光触媒性コーティング９６を先端カバー６１外表面に施すにあたっては、数ｎｍオーダーの微細な凹凸を先端カバー６１外表面に施しておくことが望ましい。このような微細な凹凸を先端カバー６１外表面に施しておくことで、光触媒性コーティング９６が剥がれにくくなる。
【００３７】
胴部カバー６２は、先端カバー６１の後側に位置して、上記機能実行手段を覆う部材である。この胴部カバー６２は、円筒状の胴部６３と、略半球状のドーム形状の後端部６４を一体に形成し、この胴部６３の前側が円形状に開口している。この胴部カバー６２は、強度を確保するのに好ましいポリサルフォンなどで形成され、照明手段７と、撮像手段８と、制御手段９と、蓄電手段１０とを胴部６３に収容し、無線送信手段２０を後端部６４に収容している。
【００３８】
先端カバー６１の開口部には、開口端部の縁に沿って円筒形状の接合端部６５が設けられている。また、胴部６３の開口部には、開口端部の縁に沿って円筒形状の接合端部６６が設けられている。各接合端部６５，６６は、先端カバー６１と胴部カバー６２を相互に接合する際に、密閉容器６の内外で重合して互いに接触する接合面６５ａ，６６ａを有する。この実施の形態では、先端カバー６１の接合端部６５が密閉容器６の内側にあって、その外面が接合面６５ａをなし、胴部カバー６２の接合端部６６が密閉容器６の外側にあって、その内面が接合面６６ａをなし、接合面６５ａの外径と、接合面６６ａの内径とは、略一致して形成されている。なお、各接合端部６５，６６は、たとえば型成形時の抜き勾配の角度が０度のストレートで、かつほぼ同一の内外径にした筒形状に形成して互いの接合を容易にしてある。
【００３９】
接合面６５ａには、その全周に渡って突起６５ｂが無端状に形成され、接合面６６ａには、その全周に渡って溝６６ｂが無端状に形成されている。この突起６５ｂと溝６６ｂとは、接合面６５ａと６６ａが重合した状態で互いに係合される。このように、突起６５ｂおよび溝６６ｂは、互いに係合することによって、先端カバー６１と胴部カバー６２との接合した状態を保持する接合保持手段を構成している。
【００４０】
照明手段７は、図２〜図５に示すように、中央部分に通穴７１ａが設けられた円盤状に形成された照明基板７１と、照明基板７１の前面（図２中、先端カバー６１側）に設けられた５つの白色ＬＥＤ７２と１つの紫外発光ＬＥＤ９５などの計６つの発光体と、後面（図２中、撮像基板８１側）に白色ＬＥＤ７２、紫外発光ＬＥＤ９５を駆動するための回路を構成するチップ部品７４とを備え、白色ＬＥＤ７２、紫外発光ＬＥＤ９５からの照明光は、先端カバー６１に向けて外部に照射されている。
【００４１】
これらの白色ＬＥＤ７２、紫外発光ＬＥＤ９５は、図５に示すように照明基板７１に接続される２つの電極７２ａからなる電極部と、この電極部上部に形成される照射部７２ｂとから構成されている。この照射部７２ｂでは、長手方向の端面７２ｂ１が電極部の端面７２ａ１より短い段形状に構成されている。この白色ＬＥＤ７２は、両電極７２ａに電圧が印加されることによって、照射部７２ｂが発光して上面から照明光を外部に照射している。
【００４２】
白色ＬＥＤ７２は、図４に示すように、後述する撮像手段８の光学系としての結像レンズ８３周辺で、かつ照明基板７１に配置されている。すなわち、各白色ＬＥＤ７２は、長手方向がこの撮像手段８の結像レンズ８３を中心とし、かつ結像レンズ８３の光学的特性で決まる視野範囲より広い半径からなる円周Ａ方向に沿って配置されている。
【００４３】
紫外発光ＬＥＤ９５は、図５に示すように、照明基板７１上の円周Ａ方向に、白色ＬＥＤ７２に混じって１つ設けられており、短波長の紫外光を発光するＧａＮ等のＬＥＤが用いられる。
【００４４】
ここで、図８は白色ＬＥＤ７２の発光スペクトルを示す図であり、図９は紫外発光ＬＥＤ９５の発光スペクトルを示す図である。
【００４５】
図９に示すように、紫外発光ＬＥＤ９５は、３８０ｎｍ位の短波長側にシャープなスペクトルをもつ発光素子であり、本発明ではこのような紫外発光ＬＥＤ９５を用いることにより、先端カバー６１における光触媒性コーティング９６を励起状態とし、カバー外表面に親水効果をだせることが可能となる。本発明においては、短波長にシャープなスペクトルを持つ紫外発光ＬＥＤ９５を使うことにより、色調整の必要がなく画像への影響がない。また、従来、光源として一般的に使用されている白色ＬＥＤの一つを紫外発光ＬＥＤ９５へ代えることのみで対応することができる。
【００４６】
以上のように、紫外発光ＬＥＤ９５のスペクトルピークは３８０ｎｍくらいでピーキーな波長域を示すのに対して、図８に示されるように、通常の白色ＬＥＤ７２の励起ピークは４６０ｎｍ周辺で、３８０ｎｍくらいからスペクトル端がある。
【００４７】
次に、白色ＬＥＤ７２、紫外発光ＬＥＤ９５それぞれの発光タイミングの１つの形態について説明する。図１０は、紫外発光ＬＥＤ、白色ＬＥＤの発光タイミング、撮像手段による撮像タイミングを示すチャートである。
【００４８】
撮像手段８は１秒間に２フレームの頻度で画像を取得する。撮像手段８は、白色ＬＥＤ７２照射による反射光を受光して被検部位を撮像するものであるので、撮像手段８による撮影タイミングと連動するようにして、白色ＬＥＤ７２を発光させるように機能実行手段が制御を行う。
【００４９】
紫外発光ＬＥＤ９５は、その照射によって光触媒性コーティング９６を励起状態とするが、励起状態は励起後所定時間持続するので、紫外発光ＬＥＤ９５の励起のための発光は撮像手段８の撮影に影響がでないように、撮像手段８が撮影を行っていないタイミングで行うことが好ましい。すなわち、図１０に示すように、紫外発光ＬＥＤ９５の発光タイミングは、白色ＬＥＤ７２の発光タイミング及び撮像手段８による撮像タイミングと逆位相となっていることが望ましい。なお、図１０に示す発光タイミング等は一例であり、本発明がこのようなタイミングのみに限定されるものではない。
【００５０】
図７を参照しつつ、白色ＬＥＤ７２、紫外発光ＬＥＤ９５の発光持の指向性と、撮像手段８の視野角度について説明する。記撮影手段８の視野角度θは９０°以上に設定してあり、この視野角度に対応する先端カバー６１の範囲は図中αとして示されているものである。
【００５１】
一方、白色ＬＥＤ７２、紫外発光ＬＥＤ９５は、発光持の指向性は低くφに示す範囲で光を照射する。（図中、紫外発光ＬＥＤ９５について示しているが、白色ＬＥＤ７２についても同じ。）このような紫外発光ＬＥＤ９５による照射範囲は、図中βとして示されている。このような範囲βは、記撮影手段８の視野角度に対応する範囲αをカバーするものである。また、これと同じように５つのそれぞれの白色ＬＥＤ７２はβに相当する範囲を照射することが可能であり、視野角度に対応する範囲αをカバーすることができる。すなわち、円周Ａ方向に沿って配置されている５つの白色ＬＥＤ７２と１つの紫外発光ＬＥＤ９５によって、記撮影手段８による撮影のための光源を確保しつつ、光触媒性コーティング９６の励起も行うことができるのである。
【００５２】
撮像手段８は、図２に示すように、円盤状に形成された撮像基板８１と、撮像基板８１の前面（図２中、照明基板７１側）に設けられたＣＣＤやＣＭＯＳなどの固体撮像素子８２と、固体撮像素子８２に被写体の像を結像させる結像レンズ８３とを備える。結像レンズ８３は、固体撮像素子８２の前面（図２中、照明基板７１側）に設けられており、被写体側に位置して可動枠８４ａに設けられる第１レンズ８３ａおよび第２レンズ８３ｂとから構成される。可動枠８４ａと固定枠８４ｂは、第１のレンズ８３ａおよび第２レンズ８３ｂを光軸に沿って移動させるピント調整機構８４を構成している。また、可動枠８４ａは、照明基板７１の通穴７１ａに挿通しており、結像レンズ８３の光軸を照明基板７１の前面に向けている。これにより、撮像手段８は、照明手段７の照明光によって照らされた範囲を撮像することができる。また、撮像基板８１の前面には、固体撮像素子８２を囲む態様で、固体撮像素子８２を駆動するための回路を構成するチップ部品８５が設けられている。
【００５３】
制御手段９は、図２および図３に示すように、ＤＳＰ（ディジタル シグナル プロセッサ）９１を有し、ＤＳＰ９１は、撮像基板８１の後面でチップ部品９２に囲まれる態様で設けられている。このＤＳＰ９１は、カプセル型内視鏡３の駆動制御の中枢を司り、固体撮像素子８２の駆動制御および出力信号処理、照明手段７の駆動制御を行う。なお、撮像基板８１の後面のチップ部品９２は、ＤＳＰ９１から出力される映像信号およびクロック信号の２つの信号を、無線送信手段２０から送信するにあたり、１つの信号にミキシングする機能などを有する半導体部材である。
【００５４】
蓄電手段１０は、図２に示すように、酸化銀電池などのボタン型乾電池１３と、円盤形状に形成されたスイッチ基板１１と、リードスイッチ１４および電源制御ＩＣ１５を有し、スイッチ基板１１の前面（図２中、撮像基板８１側）に設けられるスイッチ部１６と、電源部１８とを備える。ボタン型乾電池１３は、複数個、たとえばこの実施の形態では、２個を直列にして負極キャップ側を後側に向けて配置してある。なお、これら電池１３は、酸化銀電池に限定されるものではなく、たとえば充電式電池、発電式電池などを用いても良く、個数も２個に限定されるものではない。また、スイッチ基板１１の後面には、板バネで形成された接点１７が設けられ、この接点１７は、ボタン型乾電池１３の正極缶に接触して、ボタン型乾電池１３を板バネの付勢力で、後側（図２中、電源基板１２側）に付勢している。
【００５５】
電源部１８は、円盤形状に形成された電源基板１２と、電源基板１２の後面（図２中、後端部６４側）に設けられたレギュレータ１９を有している。レギュレータ１９は、常にシステムに必要な一定の電圧を得るために、ボタン型乾電池１３で得られる電圧をたとえば降圧などのコントロールを行う。また、図には明示してないが、電源基板１２の前面（図２中、スイッチ基板１１側）には、ボタン型乾電池１３の負極キャップと接触する接点が設けられている。この実施の形態において、蓄電手段１０は、スイッチ基板１１と電源基板１２の間に複数のボタン型乾電池１３を直列に接続配置して各機能実行手段への電源供給を可能にする。
【００５６】
無線送信手段２０は、円筒形状に形成され、かつ内部に空間領域を有する送信基板２１と、送信基板２１の内部に設けられた発振回路２２と、送信基板２１の後面（図２中、後端部６４側）に設けられたアンテナ２３と、フレキシブル基板３１とたとえば半田接続される接続端子２４とを備える。アンテナ２３は、図２に示すように、送信基板２１の後面に、コイル状に構成されている。この無線送信手段２０は、上記チップ部品９２（半導体部材）でミキシングした信号から一定の周波数・振幅・波形を持つ信号を発振回路２２によって取り出し、この取り出した信号をアンテナ２３からカプセル型内視鏡３の外部に送信する。
【００５７】
照明基板７１、撮像基板８１、スイッチ基板１１、電源基板１２および送信基板２１は、リジット基板からなる。図３に示すように、これらリジット基板は、一連のフレキシブル基板３１をそれぞれ挟む態様で設けられて、リジットフレキ配線基板３２を構成している。すなわち、各リジット基板は、フレキシブル基板３１を介して、照明基板７１、撮像基板８１、スイッチ基板１１、電源基板１２、送信基板２１の順で所定間隔おきに配設され、互いに電気的に接続されている。そして、このリジットフレキ配線基板３２のフレキシブル基板３１を折り曲げることによって、図２に示す態様で、照明基板７１、撮像基板８１、スイッチ基板１１、電源基板１２および送信基板２１は、先端カバー６１側と後端部６４側の前後方向に積層して配置される。
【００５８】
この実施の形態では、段形状の白色ＬＥＤ７２を撮像手段８の結像レンズ８３を中心とし、かつ結像レンズ８３の光学的特性で決まる視野範囲より広い半径からなる円周Ａ方向に沿ってそれぞれ配置するので、白色ＬＥＤと先端カバーとの距離が長くなり、カプセル型内視鏡の小型化を図ることや光学的フレアの発生を防ぐことができる。
【００５９】
以上のような本発明の実施の形態に係るカプセル型内視鏡３によれば、親水コートによって先端カバー６１外表面への残渣や粘液などの付着物を低減させることで、撮影手段８により良好な体腔内画像を撮影することができ、観察性の低下を防止することができる。
【００６０】
次に、本発明の他の実施の形態について説明する。図１１は本発明の他の実施の形態にカプセル型内視鏡の照明基板を前面から見た図である。本実施形態が先の実施形態と異なる点は、光触媒性コーティング９６の励起を行うために設ける発光素子の構成であり、その他の点については先の実施形態と同じである。本実施形態では、白色ＬＥＤ７２として、光触媒性コーティング９６の励起が可能な４００ｎｍ付近の短波長の強度が比較的強いものを用いることによって、先のように励起専用の紫外発光ＬＥＤ９５は設けない。すなわち、本実施形態では、円周Ａ方向に沿って配置されているのは６つの白色ＬＥＤ７２である。このような実施の形態によれば、親水コートによって先端カバー６１外表面への残渣や粘液などの付着物を低減させることで、撮像手段８によって取得した画像の観察性の低下を防止することができる、という先の実施形態と同様の効果を得ることができるに加え、特殊な紫外発光ＬＥＤを要することがなく、コストの上昇を抑えることができる、という効果も奏することとなる。
【００６１】
次に、本発明の他の実施の形態について説明する。図１２は本発明の他の実施の形態にカプセル型内視鏡の照明基板を前面から見た図である。本実施形態が先の実施形態と異なる点は発光素子の配列の仕方であり、本実施形態では、円周Ａ方向に沿って６つの白色ＬＥＤ７２を配置しつつ、紫外発光ＬＥＤ９５を円周Ａの内周に配置するようにした。先の実施形態のように、５つの白色ＬＥＤ７２と１つの紫外発光ＬＥＤ９５を円周Ａ方向に沿って配置すると、撮影手段８による撮影時の光源として白色ＬＥＤ７２が円周Ａ方向に不均一に並んでいることになるので、多少の照射ムラが発生する可能性もあるが、本実施形態によれば、そのような照射ムラが発生する可能性はなく良好な画像を撮影することができる。
【００６２】
次に、本発明の他の実施の形態を図１３と図１４を参照しつつ説明する。図１３は先の実施形態に係るカプセル型内視鏡の先端カバー周辺の模式的な側断面図であり、図１４は他の実施形態に係るカプセル型内視鏡の先端カバー周辺の模式的な側断面図である。
【００６３】
先の実施形態に係る断面図である図１３に示すように、撮影手段８による撮影時の光源として白色ＬＥＤ７２が発光すると、先端カバー６１と光触媒性コーティング９６との境界層で反射してしまい、この反射光が撮影手段８に入射し画像に写り込んでしまう可能性がある。そこで、本実施形態では、光触媒性コーティング９６に用いる材料の屈折率とは異なる屈折率を有する、例えばＳｉＯ2などの薄膜９７を一層以上施した上で、さらに光触媒性コーティング９６を施すようにする。本実施形態では、このような異なる屈折率を有する薄膜９７の層を設けることにより、撮影手段８による撮影時に先端カバー６１のドーム内の反射を防止することができ、反射光の写り込みのない良好な画像を取得することができる。
【００６４】
以上、種々の実施の形態について説明したが、それぞれの実施の形態で説明した構成を適宜組み合わせたものも本発明に含まれるものである。
【図面の簡単な説明】
【００６５】
【図１】本発明にかかるカプセル型内視鏡を含む無線型被検体内情報取得システムの全体構成を示す模式図である。
【図２】本発明にかかるカプセル型内視鏡の構成を示す側断面図である。
【図３】図１に示したリジットフレキ配線基板を展開した上面図である。
【図４】図１に示した実施の形態１にかかる照明基板を前面から見た断面図である。
【図５】図３に示した白色ＬＥＤの側面図である。
【図６】図１に示した送信基板を後面から見た断面図である。
【図７】図２に示したカプセル型内視鏡の先端カバー周辺の側断面図である。
【図８】白色ＬＥＤ７２の発光スペクトルを示す図である。
【図９】紫外発光ＬＥＤ９５の発光スペクトルを示す図である。
【図１０】紫外発光ＬＥＤ、白色ＬＥＤの発光タイミング、撮像手段による撮像タイミングを示すチャートである。
【図１１】本発明の他の実施の形態にカプセル型内視鏡の照明基板を前面から見た図である。
【図１２】本発明の他の実施の形態にカプセル型内視鏡の照明基板を前面から見た図である。
【図１３】カプセル型内視鏡の先端カバー周辺の模式的な側断面図である。
【図１４】他の実施形態に係るカプセル型内視鏡の先端カバー周辺の模式的な側断面図である。
【符号の説明】
【００６６】
１ ・・・被検体、２ ・・・受信装置、２ａ・・・  受信ジャケット、２ｂ ・・・外部装置、３ ・・・カプセル型内視鏡、４・・・  表示装置、５・・・  携帯型記録媒体、６・・・  密閉容器、７ ・・・照明手段、８ ・・・撮像手段、９ ・・・制御手段、１０・・・  蓄電手段、１１・・・  スイッチ基板（リジット基板）、１２ ・・・電源基板（リジット基板）、１３・・・  ボタン型乾電池、１４ ・・・リードスイッチ、１５ ・・・電源制御ＩＣ、１６ ・・・スイッチ部、１７・・・  接点、１８ ・・・電源部、１９ ・・・レギュレータ、２０ ・・・無線送信手段、２１・・・  送信基板（リジット基板）、２２ ・・・発振回路、２３ ・・・アンテナ、２４ ・・・接続端子、３１ ・・・フレキシブル基板、３２ ・・・リジットフレキ配線基板、６１ ・・・先端カバー、６２ ・・・胴部カバー、６３ ・・・胴部、６４ ・・・後端部、６５，６６・・・接合端部、６５ａ，６６ａ ・・・接合面、６５ｂ ・・・突起、６６ｂ ・・・溝、７１ ・・・照明基板（リジット基板）、７１ａ ・・・通穴、７２ ・・・発光体（白色ＬＥＤ）、７２ａ ・・・電極、７２ａ１，７２ｂ１ ・・・端面、７２ｂ・・・  照射部、７２ｃ ・・・内側角部、７２ｄ ・・・外側角部、７４，８５，９２ ・・・チップ部品、８１ ・・・撮像基板（リジット基板）、８２ ・・・固体撮像素子、８３ ・・・結像レンズ、８３ａ，８３ｂ ・・・レンズ、８４ ・・・ピント調整機構、８４ａ ・・・可動枠、８４ｂ ・・・固定枠、９６・・・光触媒性コーティング、９７・・・膜、Ａ１〜Ａｎ・・・ 受信用アンテナ
【図１】
0005242101.tif 000002
【図２】
0005242101.tif 000003
【図３】
0005242101.tif 000004
【図４】
0005242101.tif 000005
【図５】
0005242101.tif 000006
【図６】
0005242101.tif 000007
【図７】
0005242101.tif 000008
【図８】
0005242101.tif 000009
【図９】
0005242101.tif 000010
【図１０】
0005242101.tif 000011
【図１１】
0005242101.tif 000012
【図１２】
0005242101.tif 000013
【図１３】
0005242101.tif 000014
【図１４】
0005242101.tif 000015